【手続補正書】
【提出日】平成17年9月13日(2005.9.13)
【手続補正１】
【補正対象書類名】特許請求の範囲
【補正対象項目名】全文
【補正方法】変更
【補正の内容】
【特許請求の範囲】
【請求項１】
少なくとも１種のオリゴマー及び／又はポリマーを適用した少なくとも１つの支持体を含む出版印刷物であって、該支持体が該印刷物に添付、付加及び／又は包含されている前記印刷物。
【請求項２】
綴じられていない形態である、請求項１に記載の印刷物。
【請求項３】
綴じられた形態である、請求項１に記載の印刷物。
【請求項４】
前記支持体が印刷物において綴じられていない、請求項３に記載の印刷物。
【請求項５】
前記支持体が綴じられた印刷物の１頁として綴じられている、請求項３に記載の印刷物。
【請求項６】
少なくとも２個の支持体を含み、これらの支持体が共に綴じられていない、請求項１に記載の印刷物。
【請求項７】
少なくとも１枚の印刷頁から構成される、請求項１に記載の印刷物。
【請求項８】
定期刊行物、雑誌、論文、冊子、小冊子、リーフレット、パンフレット、報告書、ポスター、カード及びラベルからなる群から選ばれる、請求項１〜７のいずれか１項に記載の印刷物。
【請求項９】
前記支持体が非水溶性、水分解性及び／又は水溶性の支持体である、請求項１〜８のいずれか１項に記載の印刷物。
【請求項１０】
前記非水溶性の支持体が主成分としてセルロースを含む、請求項９に記載の印刷物。
【請求項１１】
前記水溶性の支持体がオブラートの形態である、請求項９に記載の印刷物。
【請求項１２】
前記支持体がカードの形態である、請求項１〜11のいずれか１項に記載の印刷物。
【請求項１３】
前記オリゴマーがオリゴヌクレオチド、オリゴペプチド、オリゴ糖、PNA、及びそれらの混合物からなる群から選ばれる、請求項１〜12のいずれか１項に記載の印刷物。
【請求項１４】
前記ポリマーがポリヌクレオチド、ポリペプチド、多糖、PNA及びそれらの混合物からなる群から選ばれる、請求項１〜12のいずれか１項に記載の印刷物。
【請求項１５】
前記オリゴマー又はポリマーが断片又は完全な分子である、請求項１〜14のいずれか１項に記載の印刷物。
【請求項１６】
前記オリゴヌクレオチド又はポリヌクレオチドがゲノムDNA、cDNA、RNA、mRNA、PNA、及びそれらの組合せからなる群から選ばれる、請求項13又は14に記載の印刷物。
【請求項１７】
前記オリゴヌクレオチド又はポリヌクレオチドが断片、EST配列、長鎖配列、全コード配列、および全長配列からなる群から選ばれる、請求項16に記載の印刷物。
【請求項１８】
前記オリゴヌクレオチド又はポリヌクレオチドが、１以上の増幅及び／又は連結プライマー及び／又はオリゴヌクレオチドプローブである、請求項13〜17のいずれか１項に記載の印刷物。
【請求項１９】
ゲノムDNAに含まれる遺伝子のエクソンを増幅及び連結するための１セットのプライマーを含む、請求項１〜１８のいずれかに１項に記載の印刷物。
【請求項２０】
前記セットのプライマーが所望の遺伝子の各エクソンに対する１対のプライマーを含み、一つのエクソンに対する各対の少なくとも１個のプライマーが部分的に次のエクソンに相補的である、請求項１９記載の印刷物。
【請求項２１】
前記セットのプライマーが、遺伝子のエクソンの増幅及び連結によるゲノムDNAからのcDNA及び／又は全長cDNAの合成に適したものである、請求項２０記載の印刷物。
【請求項２２】
１種以上の酵素及び／又はバッファーをさらに含む、請求項１〜２１のいずれか１項に記載の印刷物。
【請求項２３】
少なくとも１種のオリゴマー及び／又はポリマーを適用した少なくとも１つの支持体を含む出版印刷物であって、該支持体が該印刷物に添付、付加及び／又は包含されている前記印刷物の製造方法であって、印刷の前又は後にオリゴマー及び／又はポリマーを支持体に適用し、該支持体を印刷物に添付、付加及び／又は包含させる工程を含む上記方法。
【請求項２４】
前記オリゴマー及び／又はポリマーを、それを前記支持体上に固定又は印字することにより該支持体に適用する、請求項２３に記載の方法。
【請求項２５】
前記オリゴマー及び／又はポリマー、並びに支持体が請求項１〜２２に規定したものである、請求項２３記載の方法。
【請求項２６】
印刷物に含まれる少なくとも１つの支持体に適用した少なくとも１種のオリゴマー及び／又はポリマーを配送及び／又は保管する方法であって、１）印刷物を印刷する前又は後にオリゴマー及び／又はポリマーを支持体上に適用する工程；ならびに２）該印刷物を配送又は保管する工程を含む上記方法。
【請求項２７】
オリゴマー及び／又はポリマーの溶液をピン、シリンジ又はインクジェットプリンターにより支持体に直接適用又は付着させることによって、前記オリゴマー及び／又はポリマーを前記支持体に適用する、請求項２６に記載の方法。
【請求項２８】
前記オリゴマー及び／又はポリマー、並びに支持体が請求項１〜２２に規定したものである、請求項２６又は２７に記載の方法。
【請求項２９】
さらに、前記オリゴマー及び／又はポリマーを、前記支持体からの溶出により回収する工程を含む、請求項２３〜２８のいずれか１項に記載の方法。
【請求項３０】
前記の回収が、前記支持体を装置に挿入し、該装置により該支持体からの溶出及び回収を自動的に行うことにより実施される、請求項２９に記載の方法。
【請求項３１】
前記支持体がカードの形態である、請求項３０に記載の方法。
【請求項３２】
前記カードが、前記オリゴマー及び／又はポリマーの該カード上での位置に関する情報を含むバーコード、チップ又はラベルを含む、請求項３１に記載の方法。
【請求項３３】
オペレーターが目的のオリゴマー及び／又はポリマーを選択し、前記装置が該目的のオリゴマー及び／又はポリマーを前記支持体から自動的に溶出させ回収する、請求項２３〜３２のいずれか１項に記載の方法。
【請求項３４】
cDNAを合成する方法であって、
a)支持体及び／又は印刷物にエクソンの増幅及び／又は連結のための少なくとも１セットのプライマーを適用する工程、
b)前記支持体及び／又は印刷物から前記の少なくとも１セットのプライマーを回収する工程、
c)前記セットのプライマーを鋳型DNA、酵素及びバッファーと混合し、増幅及び／又は連結を行う工程
を含む前記の方法。
【請求項３５】
工程a)の後に、前記支持体及び／又は印刷物を保管及び／又は配送する、請求項３４記載の方法。
【請求項３６】
前記酵素及びバッファーが工程a)の間に支持体及び／又は印刷物に適用される、請求項３４又は３５に記載の方法。
【請求項３７】
増幅及び／又は連結の産物がcDNA及び／又は全長cDNAである、請求項３４〜３６のいずれか１項に記載の方法。
【請求項３８】
前記cDNA及び／又は全長cDNAが回収され、ヌクレオチドの挿入／欠失、SNP及び配列決定分析に用いられる、請求項３７記載の方法。
【請求項３９】
前記cDNA及び／又は全長cDNAが回収され、ペプチド、ポリペプチド又はタンパク質の発現に用いられる、請求項３７記載の方法。
【請求項４０】
ヌクレオチドの挿入／欠失の決定、又はSNP分析の診断方法である、請求項３８記載の方法。
【請求項４１】
少なくとも１種のプライマー又は１セットのプライマーを適用した支持体及び／又は印刷物を含むキット。
【請求項４２】
前記支持体及び／又は印刷物がさらに、少なくとも１種の酵素、バッファー、ゲノムDNA、cDNA、RNA、mRNA、PNA、プラスミド、ベクター及び核酸を含む、請求項４１記載のキット。
【請求項４３】
エクソンの増幅及び／又は連結のための少なくとも１セットのプライマーを適用した少なくとも１個の支持体及び／又は印刷物を含む、ゲノムの鋳型からcDNA及び／又は全長cDNAを合成するためのキット。
【請求項４４】
前記増幅及び／又は連結の工程のための少なくとも１種の酵素、及び／又はバッファーをさらに含む、請求項４３記載のキット。